(57)【特許請求の範囲】
【請求項１】
縦方向に並行する縦枠部材と、
縦枠部材の少なくとも下端部及び上端部に対向するように突出させた連結部と、
前記連結部に縦枠部材と隙間を設けて連結し、縦枠部材間に架け渡した横枠部材と、
を備えたラケットボール競技用コートの壁面フレームであって、
前記フレームの一方の側端面に設けた縦方向の凸条又は凹溝からなる嵌合部と、
前記フレームの他方の側端面に設けた前記嵌合部と嵌合可能な凹溝又は凸条からなる被嵌合部と、
を備えたラケットボール競技用コートの壁面フレーム。
【請求項２】
前記横枠部材に設けた横長孔と、
前記連結部に設け、締結部材を締結できる締結孔と、
前記横長孔に挿し通しつつ、前記締結孔に締結できる締結部材と、
を備えた請求項１に記載のラケットボール競技用コートの壁面フレーム。
【請求項３】
前記縦枠部材及び前記横枠部材はアルミ材から形成してなる請求項１又は２に記載のラケットボール競技用コートの壁面フレーム。
【請求項４】
請求項１〜３のいずれかに記載の壁面フレームを平面視矩形状に配して壁面を形成してなるラケットボール競技用コート。
【発明の詳細な説明】
【技術分野】
【０００１】
本発明は、ラケットでボールを壁面に打ち当てる競技、例えば、パデルやスカッシュなどの競技用コートの壁面を形成するための壁面フレームに関する。
【背景技術】
【０００２】
近年、新しいスポーツとしてスカッシュやパデルなど（以下、ラケットボール競技ともいう。）が日本国内でも普及しつつある。スカッシュやパデルはともにテニスに似た競技であるが、少なくとも前後を壁に囲まれたコートで行うものである。
スカッシュは、シングルスにおいて２名がラケットを使用してボールを交互に打ち合い、全ての打球は前方の壁に向かって打つ必要があるが、他の壁を利用してもよい。
パデルは、テニスと似たルールであるが、前後を壁で囲まれたコートで行なわれ、壁を利用して打ち返してもよい競技である。
【０００３】
ラケットボール競技用コートに関する発明としては、例えば、以下に示すものがある。
下記特許文献１には、長方形のゲームフロアーの前後及び左右に立設されるフロントウォール、バックウォール、及び一対のサイドウォールがそれぞれ合成樹脂材料からなる複数枚の透明な壁板が用いられて形成され、前記各ウォール相互が室温変化による熱膨張によって押し合わないように、それらの各ウォールの少なくとも一端側にその伸長を許容する隙間が形成されるか、もしくは、隣合う二つのウォールのうちの一方の端部と他方の端部とがＴ字を呈するように配置されて双方が外方に向けて伸長できるようにされていることを特徴とするスカッシュ等の競技用コートが示され、透明な合成樹脂材料の膨張を吸収できるようにしてある。
【０００４】
下記特許文献２には、長方形のゲームフロアーの前後及び左右にそれぞれフロントウォール、バックウォール、及びサイドウォールが立設されてなり、前記四面のウォールのうちの少なくとも一つが、競技用の壁面を形成する合成樹脂材料からなる透明な板状壁体と、この板状壁体と同一の合成樹脂材料からなり、前記板状壁体の外面に直交するようにその一端面が当接せしめられた板状の補強支持体と、所要の長さを有する長穴が横向きに形成されていて前記板状壁体の外面に当接せしめられた横辺部と前記補強支持体に固定された縦辺部とからなるＬ形アングル部材と、前記板状壁体と補強支持体とを前記Ｌ形アングル部材を介して連結すべく、前記Ｌ形アングル部材の横辺部に形成された長穴に挿入されてその雄ねじ部が前記板状壁体に螺入されたボルト類と、を具備して構成されており、前記補強支持体に対して前記板状壁体が前記長穴の長さに応じて横幅方向に伸縮移動できるようにされていることを特徴とする、スカッシュ及びラケットボール競技用コートが示され、透明な合成樹脂材料の膨張を吸収できるようにしてある。
【０００５】
また、下記特許文献３には、複数の分割基台をボルト類等を用いて必要に応じて分離できるように連結して矩形の枠台を組み立て、この枠台に複数の分割壁体をボルト類等を用いて必要に応じて取り外すことができるように取り付けるとともに、前記分割壁体のうちの隣合うもの同士をボルト類等を用いて必要に応じて分離できるように連結することにより、フロントウォール、バックウォール、及び左右のサイドウォールを形成するようにされてなるスカッシュ等の競技用コートが示され、スカッシュやパデルなどの競技用コートを容易に設置及び撤去ができるようにしてある。
【先行技術文献】
【特許文献】
【０００６】
【特許文献１】特開平７−３１７３５０号公報
【特許文献２】特開平７−１２４２８７号公報
【特許文献３】特開平７−３１７３４９号公報
【発明の概要】
【発明が解決しようとする課題】
【０００７】
スカッシュやパデルなどの競技人口は、今後日本国内でも増加することが予想され、これらのための競技用コートが多く増設されることが見込まれる。
本発明者は、例えば、金属などからなる矩形状枠にガラスや透明樹脂などからなる透明板を固定したフレームを複数配列して壁面を形成すれば、比較的簡単にコートを設営できるのではないかと考察した。
しかし、上記特許文献１又は２に示すように、スカッシュやパデルなどの競技用コートには熱膨張の問題があり、壁面に金属などからなる枠を用いた場合は金属が伸縮して壁面に歪みが生じるおそれがあった。
【０００８】
そこで、本発明の目的は、熱膨張による歪みなどが生じにくく、さらには、施工しやすいラケットボール競技用コートの壁面フレームを提供することにある。
【課題を解決するための手段】
【０００９】
本発明の一実施形態のラケットボール競技用コートの壁面フレームは、縦方向に並行する縦枠部材と、縦枠部材の少なくとも下端部及び上端部に対向するように突出させた連結部と、前記連結部に縦枠部材と隙間を設けて連結し、縦枠部材間に架け渡した横枠部材と、を備えたことを特徴とする。
【００１０】
このような構成とすることにより、縦枠部材と横枠部材との間に隙間を設けてあるため、横枠部材が熱により伸びても縦枠部材に影響を及ぼさず、歪みの少ない壁面を形成することができる。
【００１１】
上記形態のラケットボール競技用コートの壁面フレームは、前記横枠部材に設けた横長孔と、前記連結部に設け、締結部材を締結できる締結孔と、前記横長孔に挿し通しつつ、前記締結孔に締結できる締結部材と、を備えることができる。
【００１２】
このような構成とすることにより、横長孔に締結部材を挿し通してあるので、横枠部材が熱により伸縮しても縦枠部材に影響を及ぼさず、歪みの少ない壁面を形成することができる。
【００１３】
上記形態のラケットボール競技用コートの壁面フレームは、一方の側端面に設けた縦方向の凸条又は凹溝からなる嵌合部と、他方の側端面に前記嵌合部と嵌合可能な凹溝又は凸条からなる被嵌合部と、を備えることができる。
【００１４】
このような構成とすることにより、隣接するフレーム側端面の嵌合部と被嵌合部とを嵌合すれば、位置合わせすることができフレームを直線状に容易に配列することができる。
【００１５】
上記形態のラケットボール競技用コートの壁面フレームは、前記縦枠部材及び前記横枠部材はアルミ材から形成することができる。
【００１６】
このような構成とすることにより、熱膨張率の高いアルミ材でもラケットボール競技用コートの壁面を形成して熱による歪みが生じないようにすることができる。また、フレームの軽量化も図ることができ、施工作業も容易になる。
【００１７】
上記形態の壁面フレームは、平面視矩形状に配して壁面を形成し、ラケットボール競技用コートを造成することができる。この競技用コートは、施工しやすいため工期を短縮でき、壁面に熱膨張による歪みなどが生じにくいためメンテナンスが容易になるなどのメリットがある。
【図面の簡単な説明】
【００１８】
【図１】本発明の一実施形態の壁面フレームを用いたパデル競技用コートの一例を示した斜視図である。
【図２】本発明の一実施形態の壁面フレームを示した斜視図である。
【図３】図２の壁面フレームの一方の縦枠部材付近を示した分解斜視図である。
【図４】図２の壁面フレームの連結部付近を示した拡大断面図である。
【図５】図２の壁面フレームの固定具付近を示した拡大断面図である。
【図６】図２の壁面フレームを支持する支持具の一例を示した斜視図である。
【図７】図６の支持具の平面図である。
【発明を実施するための形態】
【００１９】
以下、本発明の一実施形態のラケットボール競技用コートの壁面フレームを説明する。
本実施形態では、図１に例示するようなパデル競技用コートのフロントウォール又はバックウォールなどとして用いる場合を示すが、これに限定するものではない。ラケットボール競技としては、パデルの他、スカッシュなどを挙げることができる。
【００２０】
本発明の一実施形態のラケットボール競技用コートの壁面フレーム１は、図２などに示すように、縦枠部材２に横枠部材３を固定して矩形枠状に形成したものであり、縦枠部材２と横枠部材３との間には隙間４を設けてある。壁面フレーム１の一面側には、ガラスなどの透明板材５や金網などを固定することができるようにしてある。なお、図２においては、手前側が透明板材５などを固定するコート側になる。以下の説明において、図２の上下方向を縦方向、左右方向を横方向という。
【００２１】
縦枠部材２は、図２又は図３などに示すように、壁面フレーム１の縦枠を構成するものであり、平面部２ａと側面部２ｂとを備えたリップ溝形の長尺材から形成してなり、２本の縦枠部材２を、開口部２１を対向させて縦方向に並列させて配してある。縦枠部材２の上端部及び下端部には、図３又は図４に示すように、開口部２１内に納まるように連結具６を固定して連結部２２を形成してある。連結部２２は横枠部材３を連結できる。
本実施形態では、連結部２２を上端部及び下端部に形成してあるが、これに限定されるものではなく、縦枠部材２の少なくとも上端部及び下端部に設けてあればよい。
【００２２】
平面部２ａは、壁面フレーム１を形成した際に側端面１１になる。平面部２ａの幅中心付近には、図３に示すように、内側に台形状に隆起させた締結面部２３が形成してある。締結面部２３には適宜間隔で締結孔２３ａが形成してある。
本実施形態では縦方向に５つの締結孔２３ａが形成してあり、上下の２つの締結孔２３ａは連結具６を固定するために用い、中間の締結孔２３ａは透明板材５を固定する固定具７を固定するために用いる。
縦枠部材２の内面側は、平面部２ａに２つの凸条２４が形成してあり、２つの凸条２４は開口部２１の幅と略同幅に形成し、縦方向に並行する。凸条２４間には、図５などに示すように、連結具６又は固定具７が納まるようにしてある。
【００２３】
一方の縦枠部材２（図２では右側）の外面側には、図３、図５などに示すように、平面部２ａの両縁部付近に縦方向の凸条又は凹溝からなる嵌合部２５ａが形成してある。本実施形態では、コート側（図２の手前側）が凹溝としてあり、外側（図２の奥側）が凸条としてある。
他方の縦枠部材２（図２では左側）の外面側には、図２などに示すように、平面板部２ａの両縁部付近に凸条又は凹溝からなる被嵌合部２５ｂが形成してある。本実施形態では、コート側（図２の手前側）が凸条としてあり、外側（図２の奥側）が凹溝としてある。
嵌合部２５ａは、他の壁面フレーム１の被嵌合部２５ｂに嵌合できるように形成してあり、複数の壁面フレーム１を横方向に並べた際に位置合わせができるようにしてある。
【００２４】
縦枠部材２の内面側には、図５に示すように、側面部２ｂに浅溝状の凹溝２６が縦方向に形成してある。凹溝２６は、ナットの二面幅と略同幅に形成してあり、壁面フレーム１をコンクリート床面などに固定する支持具８に締結固定するためなどに用いる。
【００２５】
一方の縦枠部材２（図２では右側）には、図２又は図３などに示すように、コート側の縁部（図２では手前側）に断面矩形状に膨出した膨出部２７が形成してあり、壁面フレーム１に固定した透明板材５などにより形成される目地の隙間を埋めることができる。膨出部２７の突出幅は、透明板材５の厚さとほぼ同じにすることが好ましい。
【００２６】
縦枠部材２の長さは、特に限定するものではないが、約１ｍ〜約６ｍ、特に約３ｍ〜約５ｍに形成することが好ましい。
【００２７】
連結具６は、図３又は図４などに示すように、細長長方形状の板材をコの字状に折り曲げた形状としてあり、連結面部６１の上端部から延びる上片６２と、下端部から延びる下片６３とを備え、縦枠部材２に固定して連結部２２になる。
連結具６は、図４に示すように、上片６２及び下片６３が同方向に延び、上片６２が下片６３よりも張り出した形状とし、上片６２及び下片６３には、横枠部材３が嵌め込みできる。上片６２及び下片６３は、先端部側を間隔が狭まるクランク状に形成してある。上片６２の先端部付近には締結孔６４が形成してあり、ねじなどの締結部材９１が締結できるようにしてある。連結面部６１には孔部６５が形成してある。ねじなどの締結部材９２を、孔部６５に挿し通し、縦枠部材２の締結孔２３ａに締結して連結具６が縦枠部材２に固定できるようにしてある。
【００２８】
横枠部材３は、図２又は図３に示すように、壁面フレーム１の横枠を構成するものであり、断面横長長方形状の中空長尺材から形成してなる。横枠部材３は、両端面を連結部２２に連結して縦枠部材２間に架け渡すように固定してある。縦枠部材２と横枠部材３との間には、図４に示すように、隙間４を設け、横枠部材３が熱膨張しても縦枠部材２に影響を及ぼさず歪みを生じにくくさせてある。
横枠部材３の内部には、図３に示すように、上面３１及び下面３２から突出した凸条３３が横方向に形成してある。凸条３３は、一方の側面３４（図３では手前側）との間隔が連結具６の上片６２（又は下片６３）の幅と略同幅になる位置に形成し、上片６２及び下片６３が嵌合できるようにしてある。
【００２９】
横枠部材３の上面３１の両端部付近には、図３に示すように、横長孔３５が形成してあり、締結部材９１を挿し通すことができる。締結部材９１は、連結部２２の締結孔６４に締結して縦枠部材２に横枠部材３を固定できる。横長孔３５を形成することにより、横枠部材３が熱膨張しても連結部２２に影響を及ぼさず縦枠部材２を歪みにくくさせてある。横長孔３５の長径は、特に限定するものではないが、締結部材９１のねじ部径の１．２倍〜３倍にするのが好ましい。
横枠部材３の長さは、特に限定するものではないが、縦枠部材２の長さに対して１：１〜４：１（縦枠部材：横枠部材）、特に２：１〜３：１にするのが好ましい。
隙間４の間隔は、特に限定するものではないが、横枠部材３の長さに対して０．１％〜３％、特に０．３％〜１％にするのが好ましい。隙間４の間隔は、具体的には、約０．１ｍｍ〜約３ｍｍ、特に約１ｍｍ〜約２ｍｍにすることが好ましい。
【００３０】
縦枠部材２及び横枠部材３は、特に限定するものではないが、金属などから形成することができ、特に軽量化や腐食などの観点からアルミ材が好ましい。
【００３１】
透明板材５は、ボールなどの衝撃に耐えられる透明ガラスや透明合成樹脂からなる矩形状板であり、壁面フレーム１と略同じ面積に形成してある。透明板材５は、図５などに示すように、固定具７を介して縦枠部材２に固定できる。透明板材５の両側縁部付近には、円形状の孔部５１が適宜間隔で縦方向に形成してあり、締結部材９３を挿し通して固定具７に固定できるようにしてある。締結部材９３は透明板材５の表面が面一になるように皿ねじなどを用いることが好ましい。
【００３２】
固定具７は、図３又は図５に示すように、横長長方形状の板材を変形Ｗ字状に折り曲げた形状としてあり、透明板材５を固定する固定面７１から縦枠部材２の内面側に沿わせた形状にし、固定面７１の反対側の連結面７２は、締結面部２３に固定できるようにしてある。
固定面７１には、円形状の孔部７３が形成してあり、締結部材９３を挿し通して透明板材５を固定できるようにしてある。
連結面７２には、縦長孔７４が形成してあり、ボルトなどの締結部材９４を縦長孔７４に挿し通すことができる。締結部材９４を、縦長孔７４に挿し通しつつ締結面部２３の締結孔２３ａに締結することにより、固定具７を縦枠部材２に固定できる。縦長孔７４を形成することにより、縦枠部材２が熱膨張しても固定具７に影響を及ぼさず透明板材５の歪みが生じにくくさせてある。縦長孔７４の長径は、特に限定するものではないが、締結部材９４のねじ部径の１．２倍〜３倍にするのが好ましい。
【００３３】
支持具８は、図６又は図７に示すように、壁面フレーム１をコンクリート床面などに固定するものであり、矩形板状の固定部８１に、直角三角形板状の支持部８２を垂直状に立ち上げて形成してあり、支持部８２には矩形板状の接合面部８３を適宜間隔で配してある。
固定部８１の四隅付近には、孔部が形成してあり、コンクリート床面などに埋設したアンカーボルトなどを挿し通して床面に固定できるようにしてある。
接合面部８３には、孔部８４が形成してあり、ボルトなどの締結部材９５を挿し通すことができる。締結部材９５を、孔部８４に挿し通し、さらに、縦枠部材２の側面部２ｂ下部に設けた孔部に挿し通してナット９７を締結することにより、壁面フレーム１を支持具８に固定できる。
【００３４】
以下、壁面フレーム１の組立方法の一例を示す。
まず、図３、図４などに示すように、縦枠部材２の上端部及び下端部に、開口部２１側から連結具６を固定して連結部２２を形成する。具体的には、連結具６の連結面部６１と縦枠部材２の締結面部２３とを接面させ、ねじなどの締結部材９２を孔部６５に挿し通しながら締結孔２３ａに締結することにより、連結具６を縦枠部材２に固定することができる。
【００３５】
次に、横枠部材３を、連結部２２に嵌め合せ、縦枠部材２との間に隙間４を有するようにしながら固定する。具体的には、横枠部材３の端面に上片６２及び下片６３を嵌合し、ねじなどの締結部材９１を、横長孔３５に挿し通しながら連結部２２の締結孔６４に締結して、縦枠部材２と横枠部材３とを固定することができる。縦枠部材２と横枠部材３とに隙間４を有するようにするには、例えば、縦枠部材２と横枠部材３との間にスペーサなどを挿入しておき、固定した後、スペーサを取り外すことにより隙間４を形成することができる。
このように縦枠部材２と横枠部材３とを固定して壁面フレーム１を形成することができる。
【００３６】
壁面フレーム１の一面側には、透明板材５を固定することができる。
透明板材５を固定するには、まず、固定具７を縦枠部材２に固定する。具体的には、図３、図５などに示すように、固定具７の連結面７２を縦枠部材２の開口部２１から挿入し、連結面７２と締結面部２３とを接面させる。ねじなどの締結部材９４を、縦長孔７４に挿し通しながら締結孔２３ａに締結して固定具７を縦枠部材２に固定することができる。
次に、透明板材５を壁面フレーム１の一面側に配し、皿ねじなどの締結部材９３を透明板材５の孔部５１及び固定具７の孔部７３に挿し通し、ナット９６などで締結することにより、透明板材５を壁面フレーム１に固定することができる。この際、ゴムブッシュやゴムパッキンなどを介装してもよい。
【００３７】
壁面フレーム１を用いてラケットボール競技用コートを設営するには、例えば、以下の方法がある。
まず、コートの周囲に基礎コンクリートを打設して床面を形成するとともに、支持具８を固定するためのアンカーボルトを設置しておく。支持具８は床面に適宜間隔で配列し、固定部８１の孔部にアンカーボルトを挿し通して床面に固定する。この際、支持具８の接合面部８３をコート側に向かせる。
固定した支持具８の傍らに壁面フレーム１を配列して固定する。具体的には、透明板材５がコート側になるように壁面フレーム１を配し、縦枠部材２の側面部２ｂと支持具８の接合面部８３とを接面させる。ボルトなどの締結部材９５を接合面部８３の孔部８４に挿し通し、さらに、縦枠部材２の側面部２ｂの孔部に挿し通し、縦枠部材２の内面側からナット９７を締結して固定することができる。この際、ナット９７は、縦枠部材２の凹溝２６に嵌合させておく。凹溝２６はナット９６の二面幅と略同幅としてあるので、ナット９７が回転することがない。
【００３８】
支持具８に固定した壁面フレーム１の側方に他の壁面フレーム１を配する。この際、側端面１１を嵌合部２５ａと嵌合部２５ｂとが嵌合するように配することにより、位置合わせが容易にでき、壁面フレーム１を直線状に配することができる。他の壁面フレーム１を、前述と同様に支持具８に固定し、このような作業を順次繰り返してパデル競技用コートのフロントウォール又はバックウォールなどを設営することができる。
【００３９】
壁面フレーム１は、横枠部材３と縦枠部材２との間に隙間４を設けてあり、また、横長孔３５に締結部材９１を挿し通して固定してあるため、横枠部材３が熱膨張しても縦枠部材２に影響を及ぼさず歪みを生じにくい。透明板材５は縦枠部材２に固定してあるため、透明板材５も歪みが生じにくい。つまり、複数の壁面フレーム１を横方向に配列し、各フレーム１に透明板材５を固定しておけば、壁面は平坦面を保つことができる。
【００４０】
また、壁面フレーム１は、嵌合部２５ａ及び被嵌合部２５ｂが形成してあるので、壁面フレーム１と他の壁面フレーム１との位置合わせができ、また、各壁面フレーム１を容易に直線状に配することができるため、施工が容易である。
【００４１】
上記実施形態では、壁面フレーム１に透明板材５を配してあるが、金網などを配してもよく、ラケットボール競技用コートのサイドウォールなどを形成することができる。
【００４２】
上記実施形態の構成態様は、本発明を限定するものとして挙げたものではなく、技術目的を共通にするかぎり変更は可能であり、本発明はそのような変更を含むものである。
【符号の説明】
【００４３】
１  壁面フレーム
１１  側端面
２  縦枠部材
２ａ  平面部
２ｂ  側面部
２１  開口部
２２  連結部
２３  締結面部
２３ａ  締結孔
２４  凸条
２５ａ  嵌合部
２５ｂ  被嵌合部
２６  凹溝
２７  膨出部
３  横枠部材
３１  上面
３２  下面
３３  凸条
３４  側面
３５  横長孔
４  隙間
５  透明板材
５１  孔部
６  連結具
６１  連結面部
６２  上片
６３  下片
６４  締結孔
６５  孔部
７  固定具
７１  固定面
７２  連結面
７３  孔部
７４  縦長孔
８  支持具
８１  固定部
８２  支持部
８３  接合面部
８４  孔部
９１〜９５  締結部材
９６，９７  ナット
【要約】
【課題】
本発明は、熱膨張による歪みなどが生じにくく、さらには、施工しやすいラケットボール競技用コートの壁面フレームを提供する。
【解決手段】
ラケットボール競技用コートの壁面フレーム１は、縦方向に並行する縦枠部材２と、縦枠部材２の少なくとも下端部及び上端部に対向するように突出させた連結部２２と、連結部２２に縦枠部材２と隙間４を設けて連結し、縦枠部材２間に架け渡した横枠部材３と、を備えたことを特徴とし、さらには、一方の側端面１１に設けた縦方向の凸条又は凹溝からなる嵌合部２５ａと、他方の側端面１１に嵌合部２５ａと嵌合可能な凹溝又は凸条からなる被嵌合部２５ｂと、を備えることができる。
【選択図】図２【図１】
0006018329.tif 000002
【図２】
0006018329.tif 000003
【図３】
0006018329.tif 000004
【図４】
0006018329.tif 000005
【図５】
0006018329.tif 000006
【図６】
0006018329.tif 000007
【図７】
0006018329.tif 000008